(57)【要約】【課題】移動時に転倒のおそれもなく安定状態で移動でき、荷重も十分に支承でき、全体重量も特に大幅に増加することなくキャスターの出し入れの取扱いも容易で使い勝手のよい作業台の移動装置を得る。【解決手段】天板に脚体を設けた作業台において、上下移動手段を介してキャスター８を各主脚下部に取付け、前記上下移動手段は、主脚に固定される取付台９と、この取付台９に固定される回転軸受け１０と、この回転軸受け１０に上下にスライド自在に装着され下端にキャスター８が取付けられた上下可動回転軸１１と、この上下可動回転軸１１に巻回され下方への伸長力が付勢された圧縮コイルバネ１２とにより構成される。【選択図】        図１
2009287224.tif 000002
【特許請求の範囲】
【請求項１】
天板に脚体を設けた作業台において、上下移動手段を介してキャスターを各脚体下部に取付け、前記上下移動手段は、脚体に固定される取付台と、この取付台に固定される回転軸受けと、この回転軸受けに上下にスライド自在に装着され下端にキャスターが取付けられた上下可動回転軸と、この上下可動回転軸に巻回され下方への伸長力が付勢された圧縮バネとにより構成されることを特徴とする作業台の移動装置。
【請求項２】
作業台は, 長方形状の天板に、脚体として、踏み板を備える梯子状の主脚を折畳み可能に設けた可搬式作業台である請求項１記載の作業台の移動装置。
【請求項３】
前記上下動回転軸に操作ハンドルを設け、この操作ハンドルが嵌合してキャスターを接地位置と接地面から浮上した位置とにそれぞれ係止する切欠きを上下動回転軸受けに形成したことを特徴とする請求項１または請求項２記載の作業台の移動装置。
【請求項４】
取付台は、脚体の接地面に対して垂直に取付けられることを特徴とする請求項１ないし請求項３のいずれかに記載の作業台の移動装置。
【発明の詳細な説明】
【技術分野】
【０００１】
本発明は、建設工事現場、建築物の天井や壁面などの内外装作業、電気配線工事等で使用する作業台の移動装置に関するものである。
【背景技術】
【０００２】
作業台には、脚体が作業台そって折畳むことができる可搬式作業台がある。可搬式作業台は、図１０から図１２に示すように長方形状の天板１の両端に梯子状の主脚２を折畳み可能に設けたものであり、収納時や運搬時には、主脚を天板に平行に折畳み、全体を扁平状態にして収納スペースを少なくし、また、運搬しやすいようにしている。
【０００３】
図中３は梯子状の主脚２の踏み桟、４は天板１と踏み桟３との間に取付けられたステイであり、このステイ４を折り曲げることで天板１と主脚２とを扁平に折畳み、移動できるようになっている。図中５は折畳んで移動するときの移動用の車輪、６は安全確保のための手掛り棒、７は主脚２の下部にスライド自在に設けた伸縮脚を示す。
【０００４】
ところが、作業現場において、例えば隣接工区に移動する場合などは、移動距離が短く、また、隣接工区では直ちに再度使用するにもかかわらず、現在の作業工区で作業台を一旦折畳み、隣接工区に運搬後、ここで再度組立てるという行程を要して作業性がよくない。
【０００５】
そこで、可搬式作業台の主脚２に移動車輪を取付け、作業台を折畳まずにそのまま隣接工区に移動できるようにしたものがある（例えば特許文献１参照）。
【０００６】
これは、主脚の最下段の踏み桟を支承する下部踏み桟受けと、上方の踏み桟を支承する上部踏み桟受けとを縦フレームの上下にそれぞれ設け、前記縦フレームに主脚の最下端よりも下方に突出する移動車輪を設けたものであり、かかる移動装置を踏み桟に取り付ける。
【０００７】
そして、前記縦フレームは、下部踏み桟受けと上部踏み桟受けとの距離を調整可能なよう二重管構造として伸縮自在に形成されている。
【特許文献１】特許第３９９３８４２号
【発明の開示】
【発明が解決しようとする課題】
【０００８】
前記従来例の移動装置は、踏み桟に取り付けるものであるため、移動装置の車輪および踏み桟を介して荷重を支えることになり、強度的に十分とはいえない。
【０００９】
また、末広がり状に開いた主脚の内側に移動装置が配設されため、車輪の接地位置、すなわち荷重を支える点が主脚の位置より中に入ることとなり、作業台の転倒角が小さくなって不安定である。
【００１０】
さらに、作業台の側には主脚の下部に延長用の伸縮脚が伸縮自在に取付けられて二重管構造の伸縮機構があるが、移動装置にも二重管構造による伸縮機構が備えられているため、全体として重量も大きくなり、また、伸縮操作にも作業台側と移動装置側との両方を必要とし手間を要して取扱いが容易ではない。
【００１１】
本発明は、前記従来例の不都合を解消するものとして、移動時に転倒のおそれもなく安定状態で移動でき、荷重も十分に支承でき、全体重量も特に大幅に増加することなくキャスターの出し入れの取扱いも容易で使い勝手のよい作業台の移動装置を提供するものである。
【課題を解決するための手段】
【００１２】
請求項１記載の本発明は、天板に脚体を設けた作業台において、上下移動手段を介してキャスターを各脚体下部に取付け、前記上下移動手段は、脚体に固定される取付台と、この取付台に固定される回転軸受けと、この回転軸受けに上下にスライド自在に装着され下端にキャスターが取付けられた上下可動回転軸と、この上下可動回転軸に巻回され下方への伸長力が付勢された圧縮バネとにより構成されることを要旨とするものである。
【００１３】
請求項２記載の本発明は、作業台は, 長方形状の天板に、脚体として、踏み板を備える梯子状の主脚を折畳み可能に設けた可搬式作業台であることを要旨とするものである。
【００１４】
請求項１記載の本発明によれば、天板に脚体を設けた作業台において、上下移動手段を介してキャスターを各脚体下部に取付けたので、移動時の荷重を各脚体が支えることで、転倒のおそれもなく安定状態で移動できる。
【００１５】
しかも、上下可動回転軸は、これに巻回されている圧縮バネの下方への伸長力によって下方に押出されるから、その先端に取付けられているキャスターも下方に移動し、可搬式作業台に人や荷物が乗っていない場合のように上方からの荷重が加わらない状態では、キャスターが接地して脚体は浮いた状態となり、キャスターで荷重を支承する。よって、この状態では自由に容易に作業台を移動できる。
【００１６】
この状態で、作業台の上に人や荷物が載り、荷重が加わると、圧縮バネが弾力に抗して押され収縮し、脚体が接地し、脚体で荷重が支承される。この状態は、作業台の本来の使用方法であり、人や荷物が載っている状態で安定して使用できる。
【００１７】
また、キャスターは脚体に取付台を介して直接取付けられるから、キャスターにかかる荷重を脚体に直接伝達でき、強度的にも十分なものが確保できる。
【００１８】
請求項２記載の本発明によれば、可搬式作業台にキャスターを設けることで、可搬式作業台の使い勝手を向上させることができる。
【００１９】
請求項３記載の本発明は、前記上下動回転軸に操作ハンドルを設け、この操作ハンドルが嵌合してキャスターを接地位置と接地面から浮上した位置とにそれぞれ係止する切欠きを上下動回転軸受けに形成したことを要旨とするものである。
【００２０】
請求項３記載の本発明によれば、操作ハンドルを回動して上下動回転軸を回転させ操作ハンドルを設置位置の切欠きに挿入すれば、キャスターのみが接地位置に係止されて主脚は接地面から浮いた位置にあり、操作ハンドルを接地面から浮上した位置の切欠きに挿入すれば、キャスターが接地面から浮上した位置に係止され主脚のみが接地する。
【００２１】
そして、キャスターのみで荷重を支承する場合であっても、キャスターは各主脚の下部にそれぞれ別個に取付けられるから、荷重を支持する接地点が主脚とほぼ同じ位置となり、転倒角が小さくなることがなく、安定状態で支承できる。
【００２２】
請求項４記載の本発明は、取付台は、脚体の接地面に対して垂直に取付けられることを要旨とするものである。
【００２３】
請求項４記載の本発明によれば、天板に対して脚体が末広がり状に取付けられていても、取付台は接地面に対して垂直に取付けられているから、この取付台に取り付けたキャスターも接地面に対して垂直に配置され、荷重をしっかりと支承できる。
【発明の効果】
【００２４】
以上述べたように本発明の作業台の移動装置は、各脚体にそれぞれキャスターを独立させて取り付けたから、キャスターが梯子状の脚体の内側に入ることが無く、移動時に転倒のおそれもなく安定状態で移動でき、状態に応じて脚体またはキャスターのいずれかで荷重も十分に支承でき、移動装置に従来のような二重管構造による伸縮機構を設けずにすむから全体重量も特に大幅に増加することなくキャスターの出し入れの取扱いも容易で使い勝手のよいものである。
【発明を実施するための最良の形態】
【００２５】
以下、図面について本発明の実施形態を詳細に説明する。図１は本発明の作業台の移動装置の実施形態を示す側面図で、本発明の移動装置が使用される作業台が、長方形状の天板に、脚体として、踏み板を備える梯子状の主脚を折畳み可能に設けた可搬式作業台の場合である。
【００２６】
なお、図示は省略するが、本発明は脚体が折畳みできない、非可搬式作業台にも適用可能である。
【００２７】
可搬式作業台の構成は図１０から図１２について既に説明したとおりであるから、ここでの詳細な説明は省略する。
【００２８】
本発明の移動装置は、可搬式作業台の脚体である主脚２の下部、図示した実施形態のように主脚２の下部に伸縮脚７が取付けられている場合はこの伸縮脚７の下部に装着されるもので、上下移動手段を介してキャスター８が各伸縮脚７の下部に取付けられる。
【００２９】
前記上下移動手段は、基本構成としては伸縮脚７に固定される取付台９と、この取付台９に固定される回転軸受け１０と、この回転軸受け１０に上下にスライド自在に装着され下端にキャスター８が取付けられた上下可動回転軸１１と、この上下可動回転軸に巻回され下方への伸長力が付勢された圧縮コイルバネ１２とにより構成される。
【００３０】
前記取付台９は、短尺な断面コ字形のチャンネル状の取付部材９ａと、長尺な断面コ字形のチャンネル状の取付部材９ｂとを背中合わせにしてボルトなどで結合し、短尺な取付部材９ａの開口に伸縮脚７を側面から挿入してボルトなどで伸縮脚７に結合したもので、長尺な取付部材９ｂは開口側を作業台の内側に向けて配設される。
【００３１】
短尺な取付部材９ａの長さは、伸縮脚７を最も伸縮した状態で主脚２の下方に突出する伸縮脚７の長さに等しく形成し、短尺な取付部材９ａが伸縮脚７の伸縮を妨げないようにする。
【００３２】
長尺な取付部材９ａの開口側は、チャンネル状の側壁の下部を切欠いて、キャスター８の収納部１３に形成した。
【００３３】
回転軸受け１０は、前記取付台９の長尺な取付部材９ｂの上部の開口内に装着されリベットまたはボルトで取付部材９ｂに固定されるもので、図２に示すように本体１０ａは、一方の側面を開口１６に形成した縦長の箱型形状であり、上板１９と下板２０とにそれぞれ上下可動回転軸１１の挿通孔１７、１８を形成してある。
【００３４】
また、本体１０ａの両側壁に、後述の操作ハンドル２３が係脱自在に挿入される細長い切欠部１４、１５を上下２段に形成した。この場合、下段の切欠部１５は下板２０の高さ位置に形成し、上段の切欠部１４は、ここに操作ハンドル２３が挿入された時キャスター８が接地面から浮いて伸縮脚７のみが接地する高さ位置に形成し、下段の切欠部１５は、ここに操作ハンドル２３が挿入された時キャスター８が接地面に接地し、伸縮脚７が浮く高さ位置に形成する。
【００３５】
上下動回転軸１１は、前記回転軸受け１０に上下にスライド自在に取付けられるもので、図３に示すように長尺なボルトを本体１１ａとし、この本体１１ａの上部分にカラー２１を装着しその周囲に圧縮コイルバネ１２を巻回する。この圧縮コイルバネ１２は、下方に伸長するように付勢されている。
【００３６】
本体１１ａの下部分にはカラー２２を装着し、このカラー２２の側部から棒状の操作ハンドル２３を突設する。この操作ハンドル２３はカラー２２と一体となって本体１１ａに対して水平方向に回動する。
【００３７】
図中２５はボルトによる本体１１ａの下部のボルト頭、２９は本体１１ａが回転軸受け１０から上方に抜け出ることを防止するためのナットによるストッパー、２４はカラー２１とカラー２２との間に配設されるワッシャー等の円盤状板を示す。
【００３８】
かかる上下動回転軸１１を回転軸受け１０に取り付けた状態では、本体１１ａの上下がそれぞれ挿通孔１７、１８から上下に突出し、ストッパー２９が上板１９の上方に突出し、ボルト頭２５が下板２０の下方に突出し、圧縮コイルバネ１２と操作ハンドル２３とが上板１９と下板２０との間で本体１１ａ内に配置された状態となって本体１１ａが回転軸受け１０に上下動自在に装着される。
【００３９】
図４は、キャスター８の取付板２６を示し、本体２６ａを下向きの断面コ字形に形成し、下端両側から水平にフランジ２６ｂを突設し、本体２６ａの上面部に前記上下動回転軸１１の下部が挿入される挿通孔２７が穿設されている。前記フランジ２６ｂにはキャスター取付用のボルト孔２８を設けた。
【００４０】
かかる取付板２６は前記回転軸受け１０の下部に取付けられるもので、挿通孔２７に上下動回転軸１１の本体１１ａの下部が挿通し、ボルト頭２５が本体２６ａの下面に位置する。これにより、取付板２６が回転軸受け１１の下部に固定され、回転軸受け１１と一体となって上下動する。
【００４１】
そして、前記フランジ２６ｂの下面にキャスター８に取り付けた取付板８ａをボルトで固定し、取付板２６にキャスター８を固定する。
【００４２】
かかる移動装置は可搬式作業台の４本の伸縮脚７の全てに個別に取り付けられる。この状態で、図９に示すように伸縮脚７は接地面に対して斜めに傾斜しているが、移動装置は垂直に接地される。
【００４３】
次に使用方法について説明する。図５に示すように操作ハンドル２３を切欠部１４、１５のいずれにも挿入せず、フリーとした状態では、圧縮コイルバネ１２の下方への伸長力によって円盤状板２４を介して上下動回転軸１１の本体１１ａが下方に押圧される。
【００４４】
このとき、前記のように操作ハンドル２３は切欠部１４、１５のいずれにも挿入されていないから、上下動回転軸１１はその下方部分が圧縮コイルバネ１２の弾力のみによって回転軸受け１０から下方に押出され、キャスター８が下方に移動している。
【００４５】
この場合、本体１１ａの上部にはストッパー２９が設けてあるから、ストッパー２９が上板１９の上面に係止することで上下可動回転軸１１が回転軸受け１０から抜け出ることはない。
【００４６】
そして、この状態で可搬式作業台の天板１の上に人や荷物が載っていないときは、上方からの荷重が少ないから荷重はキャスター８のみで支承されてキャスター８のみが接地し、伸縮脚７は接地せず、キャスター８によって可搬式作業台を自由に移動できる。このとき、キャスター８は、伸縮脚７の内側に入っていないから転倒角が小さくなることがなく、揺れも少なく安定した状態で移動できる。
【００４７】
この操作ハンドル２３フリーの状態で、図６に示すように天板１の上に人や荷物が載って上方からの荷重が伸縮脚７に加わって、その力が取付台９および回転軸受け１０を介して圧縮コイルバネ１２に加わると、この荷重によって圧縮コイルバネ１２が上方から天板１９で押圧され弾力に抗して収縮し、伸縮脚７が下降する。
【００４８】
その結果、可搬式作業台は伸縮脚７でも荷重が支承され、人が乗る、または荷物を載せるなどの使用状況に合わせて作業台として本来的な使用方法をする場合に、安定状態で支承できる。
【００４９】
次に図７に示すように、操作ハンドル２３を圧縮コイルバネ１２の弾力に抗して引き上げるとともに回動して上方の切欠部１４に挿入し、この位置に上下可動回転軸１１を係止すると、キャスター８は、接地面から上昇し浮いた位置に固定され、伸縮脚７のみが接地しこの位置に固定される。
【００５０】
よって、可搬式作業台は、天板１の上に人が乗っている、または荷物が積載されている、にかかわらず、すなわち上方からの荷重の有無にかかわらず、伸縮脚７のみで荷重を支承する。
【００５１】
この荷重方法は可搬式作業台の本来の使用方法であり、転倒などのおそれがなく安定した状態で所定の荷重を支承できる。
【００５２】
次に図８、図９に示すように操作ハンドル２３を押し下げるとともに回動して下方の切欠部１５に挿入し、この位置に上下可動回転軸１１を係止すれば、キャスター８が下降し接地する。この状態で伸縮脚７は浮き上がり、可搬式作業台はキャスター８のみで接地することになり、この位置に固定される。
【００５３】
よって、可搬式作業台は接地位置に固定されたキャスター８のみで自由に移動することができる。
【００５４】
このようにしてキャスター８と伸縮脚７の両方、伸縮脚７のみ、キャスター８のみのいずれかを選択することで、条件に適した使用方法を選択できる。
【図面の簡単な説明】
【００５５】
【図１】本発明の作業台の移動装置の実施形態を示す正面図である。
【図２】本発明の作業台の移動装置の実施形態を示す要部である回転軸受けの斜視図である。
【図３】本発明の作業台の移動装置の実施形態を示す要部である上下可動回転軸の斜視図である。
【図４】本発明の作業台の移動装置の実施形態を示す要部であるキャスターの取付板の斜視図である。
【図５】本発明の作業台の移動装置の実施形態を示す操作ハンドルフリーでキャスターが接地した状態の正面図である。
【図６】本発明の作業台の移動装置の実施形態を示す操作ハンドルフリーでキャスターと伸縮脚が接地した状態の正面図である。
【図７】本発明の作業台の移動装置の実施形態を示す操作ハンドルが上方の切欠部に挿入された状態の斜視図である。
【図８】本発明の作業台の移動装置の実施形態を示す操作ハンドルが下方の切欠部に挿入された状態の斜視図である。
【図９】本発明の作業台の移動装置の実施形態を示す操作ハンドルが下方の切欠部に挿入された状態の側面図である。
【図１０】本発明の移動装置が取付けられた可搬式作業台の全体斜視図である。
【図１１】本発明の移動装置が取付けられた可搬式作業台の全体側面図である。
【図１２】本発明の移動装置が取付けられた可搬式作業台の全体正面図である。
【符号の説明】
【００５６】
１  天板                        ２  主脚
３  踏み桟                      ４  ステイ
５  車輪                        ６  手掛り棒
７  伸縮脚                      ８  キャスター
８ａ  取付板                    ９  取付台
９ａ  短尺な取付部材            ９ｂ  長尺な取付部材
１０  回転軸受け                １０ａ  本体
１１  上下可動回転軸            １１ａ  本体
１２  圧縮コイルバネ            １３  収納部
１４  切欠部                    １５  切欠部
１６  開口                      １７  １８  挿通孔
１９  上板                      ２０  下板
２１  カラー                    ２２  カラー
２３  操作ハンドル              ２４  円盤状板
２５  ボルト頭                  ２６  取付板
２６ａ  本体                    ２６ｂ  フランジ
２７  挿通孔                    ２８  ボルト孔
２９  ストッパー
【図１】
2009287224.tif 000003
【図２】
2009287224.tif 000004
【図３】
2009287224.tif 000005
【図４】
2009287224.tif 000006
【図５】
2009287224.tif 000007
【図６】
2009287224.tif 000008
【図７】
2009287224.tif 000009
【図８】
2009287224.tif 000010
【図９】
2009287224.tif 000011
【図１０】
2009287224.tif 000012
【図１１】
2009287224.tif 000013
【図１２】
2009287224.tif 000014